(57)【要約】【課題】多孔性支持体が薄く強度が低いマスタを用いた場合であっても、マスタへのしわの発生を防止して良好な印刷を継続して行うことが可能な孔版印刷装置を提供する。【解決手段】版胴５と、用紙Ｐを分離給送する給紙部４と、用紙Ｐを版胴５に押圧するプレスローラ６とを有する孔版印刷装置１において、給紙部４は版胴５とプレスローラ６との間に向けて用紙Ｐを所定のタイミングで給送するレジストローラ対２６を有し、レジストローラ対２６による用紙Ｐの給送を、プレスローラ６による用紙Ｐの版胴５への押圧距離が１００ｍｍ以上となる位置まで継続する構成とした。【選択図】                        図１
2004148586.tif 000002
【特許請求の範囲】
【請求項１】
版胴と、用紙を分離給送する給紙部と、前記用紙を前記版胴に押圧するプレスローラとを有する孔版印刷装置において、
前記給紙部は、前記版胴と前記プレスローラとの間に向けて前記用紙を所定のタイミングで給送するレジストローラ対を有し、該レジストローラ対による前記用紙の給送を、前記プレスローラによる前記用紙の前記版胴への押圧距離が１００ｍｍ以上となる位置まで継続することを特徴とする孔版印刷装置。
【請求項２】
請求項１記載の孔版印刷装置において、
前記給紙部は前記用紙を分離給送する分離給送手段を有し、前記レジストローラ対による前記用紙の給送を、前記用紙の後端が前記分離給送手段を抜ける位置まで継続することを特徴とする孔版印刷装置。
【請求項３】
請求項１または請求項２記載の孔版印刷装置において、
前記レジストローラ対を構成する各ローラが接離自在であることを特徴とする孔版印刷装置。
【請求項４】
請求項３記載の孔版印刷装置において、
前記版胴が所定位置において装置本体に対して着脱自在であり、前記版胴が所定位置を占めたときに前記各ローラが互いに離間することを特徴とする孔版印刷装置。
【請求項５】
版胴と、用紙を積載する給紙トレイと、前記給紙トレイ上の前記用紙に接触して前記用紙を送り出す呼び出しローラと、前記呼び出しローラによって送り出された前記用紙を互いに挟持して分離給送する分離ローラ及び分離部材と、前記用紙を前記版胴に押圧するプレスローラと、前記版胴と前記プレスローラとの間に向けて前記用紙を所定のタイミングで給送するレジストローラ対とを有する孔版印刷装置において、
前記呼び出しローラが前記給紙トレイ上の前記用紙に対して接離可能であると共に前記分離ローラ及び前記分離部材が互いに接離可能であり、分離給送された前記用紙が前記レジストローラ対のニップ部に接触した後、前記呼び出しローラを前記用紙から離間させると共に前記用紙を挟持している前記分離ローラ及び前記分離部材を離間させることを特徴とする孔版印刷装置。
【請求項６】
請求項５記載の孔版印刷装置において、
前記レジストローラ対により前記用紙が給送され、前記用紙の後端が前記呼び出しローラと前記給紙トレイ上の用紙との接触部を通過した後に前記呼び出しローラを前記給紙トレイ上の用紙に接触させると共に、前記用紙の後端が前記分離ローラと前記分離部材との接触部を通過した後に前記分離ローラと前記分離部材とを互いに接触させることを特徴とする孔版印刷装置。
【発明の詳細な説明】
【０００１】
【発明の属する技術分野】
本発明は、版胴の外周面にマスタを巻装して印刷を行う孔版印刷装置に関し、詳しくは印刷部へ用紙を給送する給紙機構に関する。
【０００２】
【従来の技術】
多孔性の支持円筒体からなる版胴と、熱可塑性樹脂フィルムに多孔性支持体を貼り合わせたラミネート構造のマスタとを用い、マスタの熱可塑性樹脂フィルム面をサーマルヘッドで加熱溶融穿孔製版した後に版胴に巻装し、版胴内部に設けられたインキ供給手段で版胴の内周面に適量のインキを供給して、プレスローラや圧胴等の押圧部材で印刷用紙を版胴に押圧することにより、版胴開孔部、マスタ穿孔部より滲出したインキを印刷用紙に転写させて印刷を行うデジタル式感熱孔版印刷装置がよく知られている。
【０００３】
この孔版印刷装置では、押圧部材として一般的にプレスローラが用いられており、版胴上に巻装されたマスタの製版領域と合致する所定のタイミングで用紙を版胴に押圧することにより、用紙上に製版画像が転写される。この所定のタイミングで用紙をプレスローラと版胴との間に給送する手段として、通常はレジストローラ対が用いられている。このレジストローラ対は版胴の回転周期に合わせて回転駆動され、版胴１回転ごとに通常は１枚の用紙を所定のタイミングで版胴とプレスローラとの間に向けて給送する。このようなレジストローラ対を有する孔版印刷装置が、例えば「特許文献１」に記載されている。
【０００４】
【特許文献１】
特開平９−４０２３２号公報  （第４頁、図３）
【０００５】
【発明が解決しようとする課題】
この孔版印刷では、印刷に使用されるインキはマスタを構成する多孔性支持体の隙間及び熱可塑性樹脂フィルムの穿孔部を通過して用紙に転移される。ここで、多孔性支持体が厚い場合には、支持体内部に入り込んだまま廃棄されるインキ量が多くなりコストアップしてしまうという問題点や、支持体繊維が複雑に絡み合っている部分あるいは太い繊維が穿孔部を横切っている部分では画像のべた部が抜けたり画像が切れたりかすれたりする一般的に繊維目と呼ばれる現象が発生するという問題点があった。そこで、廃棄インキの低減及び繊維目の発生防止のため、多孔性支持体を薄くしたり繊維自体を細くしたりする試みがなされている。
【０００６】
しかし、マスタの強度を受け持っている多孔性支持体が薄くなったりその密度が低下したりすると、マスタ自体の強度が低下して通常のマスタに比して伸び易くなってしまう。特に、印刷時においてプレスローラにより版胴に圧接され、版胴回転力によって用紙が搬送される際に用紙の後端は給紙部に残っているため、分離給送部材間での挟持による負荷、呼び出しローラとの接触による摩擦負荷、呼び出しローラの回転負荷等の負荷が用紙後端に掛かることにより、用紙と接触している版胴上のマスタが徐々に用紙搬送方向後方に向けて伸ばされ、マスタ後半部にしわが発生したり穿孔部分から破れたりしてしまうという問題点がある。
【０００７】
上述した孔版印刷装置では、プレスローラが版胴外周面に接触してからすぐにレジストローラ対による用紙の搬送が終了してしまうため、上述した問題点が発生していた。特に、版胴の非開口部分は開口部分と異なり、インキによるマスタの版胴への粘着力が発生しないためにマスタが移動し易く、この部分の伸びを基点としてマスタが徐々に用紙搬送方向後方に移動してしわとなる、あるいは画像が伸びて寸法再現性が悪化するといった問題点、用紙の後端が給紙部を抜けるまでの負荷と給紙部を抜けた後での負荷とが大きく異なるために、マスタの伸びがある部分で急激に減少して先端部は伸ばされ後端部は伸びにくくなり、負荷がなくなる境界部分にマスタの伸びが蓄積されて横筋状のしわが発生してしまうといった問題点も発生する。
【０００８】
本発明は上記各問題点を解決し、多孔性支持体が薄く強度が低いマスタを用いた場合であっても、マスタへのしわの発生を防止して良好な印刷を継続して行うことが可能な孔版印刷装置の提供を目的とする。
【０００９】
【課題を解決するための手段】
請求項１記載の発明は、版胴と、用紙を分離給送する給紙部と、前記用紙を前記版胴に押圧するプレスローラとを有する孔版印刷装置において、前記給紙部は、前記版胴と前記プレスローラとの間に向けて前記用紙を所定のタイミングで給送するレジストローラ対を有し、該レジストローラ対による前記用紙の給送を、前記プレスローラによる前記用紙の前記版胴への押圧距離が１００ｍｍ以上となる位置まで継続することを特徴とする。
【００１０】
請求項２記載の発明は、請求項１記載の孔版印刷装置において、さらに前記給紙部は前記用紙を分離給送する分離給送手段を有し、前記レジストローラ対による前記用紙の給送を、前記用紙の後端が前記分離給送手段を抜ける位置まで継続することを特徴とする。
【００１１】
請求項３記載の発明は、請求項１または請求項２記載の孔版印刷装置において、さらに前記レジストローラ対を構成する各ローラが接離自在であることを特徴とする。
【００１２】
請求項４記載の発明は、請求項３記載の孔版印刷装置において、さらに前記版胴が所定位置において装置本体に対して着脱自在であり、前記版胴が所定位置を占めたときに前記各ローラが互いに離間することを特徴とする。
【００１３】
請求項５記載の発明は、版胴と、用紙を積載する給紙トレイと、前記給紙トレイ上の前記用紙に接触して前記用紙を送り出す呼び出しローラと、前記呼び出しローラによって送り出された前記用紙を互いに挟持して分離給送する分離ローラ及び分離部材と、前記用紙を前記版胴に押圧するプレスローラと、前記版胴と前記プレスローラとの間に向けて前記用紙を所定のタイミングで給送するレジストローラ対とを有する孔版印刷装置において、前記呼び出しローラが前記給紙トレイ上の前記用紙に対して接離可能であると共に前記分離ローラ及び前記分離部材が互いに接離可能であり、分離給送された前記用紙が前記レジストローラ対のニップ部に接触した後、前記呼び出しローラを前記用紙から離間させると共に前記用紙を挟持している前記分離ローラ及び前記分離部材を離間させることを特徴とする。
【００１４】
請求項６記載の発明は、請求項５記載の孔版印刷装置において、さらに前記レジストローラ対により前記用紙が給送され、前記用紙の後端が前記呼び出しローラと前記給紙トレイ上の用紙との接触部を通過した後に前記呼び出しローラを前記給紙トレイ上の用紙に接触させると共に、前記用紙の後端が前記分離ローラと前記分離部材との接触部を通過した後に前記分離ローラと前記分離部材とを互いに接触させることを特徴とする。
【００１５】
【実施例】
図１は、本発明の第１の実施例を採用した孔版印刷装置の要部概略正面図である。同図において孔版印刷装置１は、印刷部２、製版部３、給紙部４を有している。
【００１６】
印刷部２は、図示しない装置本体のほぼ中央部に位置し図示しない版胴駆動手段によって図１において時計回り方向に回転駆動される版胴５と、版胴５の外周面に対して接離自在に設けられたプレスローラ６とを有している。
【００１７】
版胴５は、その両側縁部を図示しない一対のフランジの各周面にそれぞれ取り付けられた多孔性支持板５ａと、多孔性支持板５ａの外周に複数層巻装された図示しないメッシュスクリーンとを有しており、多孔性支持板５ａには複数の開孔５ｂを有する開孔部が形成されている。多孔性支持板５ａの非開孔部には、版胴５の一母線に沿った平面をなすステージ部７が設けられており、ステージ部７上には支軸８ａによって回動自在に支持されたクランパ８が配設されている。クランパ８は、版胴５が所定位置を占めたときに図示しない開閉手段によって開閉される。
【００１８】
版胴５の内部にはインキ供給手段９が配設されている。インキ供給手段９は、版胴５の支軸を兼用するインキ供給パイプ１０、インキローラ１１、ドクターローラ１２等を有している。
【００１９】
インキ供給パイプ１０は図示しない一対のフランジ間に設けられており、図示しない軸受を介して各フランジをそれぞれ回転自在に支持している。インキ供給パイプ１０には図示しないインキポンプ及びインキパックが接続されており、インキポンプの作動によりインキパック内のインキがインキ供給パイプ１０に複数設けられたインキ供給孔１０ａから版胴５の内部に供給される。
【００２０】
インキローラ１１は、図示しない一対のフランジ間に配設されそれぞれインキ供給パイプ１０に固設された図示しない一対の側板間に回転自在に支持されており、図示しない回転駆動手段によって版胴５と同期して同方向に回転駆動される。インキローラ１１は、その周面と版胴５の内周面との間に僅かな隙間が生じる位置に配設されている。
【００２１】
インキローラ１１の近傍にはドクターローラ１２が配設されている。ドクターローラ１２もインキローラ１１と同じ図示しない側板間に回転自在に支持されており、図示しない回転駆動手段によってインキローラ１１と同期して逆方向に回転駆動される。ドクターローラ１２は、その周面とインキローラ１１の周面との間に僅かな隙間が生じる位置に配設されている。
【００２２】
インキローラ１１とドクターローラ１２との近接部には断面楔形状の空間が形成され、この空間にインキ供給孔１０ａから供給されたインキが溜まることによりインキ溜まり１３が形成される。インキ溜まり１３のインキは、インキローラ１１とドクターローラ１２との近接部を通過する際にインキローラ１１の周面上に薄層状に供給され、後述するプレスローラ６によって版胴５が押圧された際にインキローラ１１の周面と版胴５の内周面とが接触することにより版胴５の内周面に供給される。
【００２３】
版胴５の下方にはプレスローラ６が配設されている。版胴５の軸方向長さとほぼ同じ長さを有し、芯部６ａの周囲にゴム等の弾性体を巻成してなるプレスローラ６は、芯部６ａの両端を一対のプレスローラアーム１４の一端間にそれぞれ回転自在に支持されている。板状部材である一対のプレスローラアーム１４は、図示しない装置本体に回動自在に支持されたプレスローラ軸１５にそれぞれの他端を固着されており、図示しないプレスローラ揺動手段によってそれぞれ一体的に揺動される。この揺動によりプレスローラ６は、その周面を版胴５の外周面から離間させる図１に示す離間位置と、その周面を所定の押圧力で版胴５の外周面に圧接させる押圧位置とを選択的に占める。
【００２４】
印刷部２の右上方には製版部３が配設されている。製版部３は、図示しないマスタ貯容部材、プラテンローラ１６、サーマルヘッド１７、切断手段１８、マスタ搬送ローラ対１９、マスタガイド板２０等を有している。
【００２５】
図示しないマスタ貯容部材は製版部３の図示しない一対の側板にそれぞれ設けられており、熱可塑性樹脂フィルムと多孔性支持体とを貼り合わせてなるマスタ２１をロール状に巻成したマスタロール２１ａの芯部２１ｂを回転自在かつ着脱自在に支持する。
【００２６】
マスタロール２１ａの配設位置の左方にはプラテンローラ１６が配設されている。プラテンローラ１６はその軸方向長さがマスタ２１の幅とほぼ同じ長さに形成されており、装置本体の図示しない側板間に回転自在に支持されている。プラテンローラ１６はステッピングモータ２２から駆動力を伝達され、図１において時計回り方向に回転駆動される。
【００２７】
プラテンローラ１６の下方にはサーマルヘッド１７が配設されている。サーマルヘッド１７は、その幅がプラテンローラ１６の軸方向長さよりも大きく形成され、その上面には複数の発熱素子が配設されており、その発熱素子面をプラテンローラ１６に圧接させるように図示しない付勢手段によって付勢されている。各発熱素子は図示しないサーマルヘッドドライバによってその作動を個々に制御され、このサーマルヘッドドライバには、装置本体の上部に設けられた図示しない画像読取部からの画像情報に応じた作動信号が送られる。
【００２８】
プラテンローラ１６及びサーマルヘッド１７の左方には切断手段１８が配設されている。切断手段１８は、図示しない装置本体に固定されその幅がマスタ２１の幅よりも大きく形成された下刃１８ａを有する図示しない下刃ホルダと、下刃１８ａ上をマスタ２１の幅方向に移動する回転自在な上刃１８ｂを有する図示しない上刃ホルダとからなる周知の構成である。
【００２９】
切断手段１８の左方にはマスタ搬送ローラ対１９が配設されている。マスタ搬送ローラ対１９は、共に図示しない側板間に回転自在に支持された駆動ローラ１９ａ及び従動ローラ１９ｂを有しており、図示しない駆動手段により回転駆動される駆動ローラ１９ａとこれに圧接された従動ローラ１９ｂとによってマスタ２１を挟持して搬送する。マスタ搬送ローラ対１９の左方には、図示しない側板間に固定されマスタ搬送ローラ対１９によって搬送されるマスタ２１を版胴５へと案内するマスタガイド板２０が配設されている。
【００３０】
版胴５の右下方には給紙部４が配設されている。給紙部４は、給紙トレイ２３、呼び出しローラ２４、分離給送手段２５、レジストローラ対２６等を有している。
【００３１】
その上面に多量の用紙Ｐを積載可能な給紙トレイ２３は、図示しない装置本体に昇降自在に支持されており、図示しないトレイ昇降手段の作動によって昇降される。
【００３２】
給紙トレイ２３の上方には呼び出しローラ２４が配設されている。周面に高摩擦抵抗部材を有する呼び出しローラ２４は、装置本体の図示しない側板間に揺動自在に支持された図示しないブラケットに回転自在に支持されている。この図示しないブラケットには図示しない付勢手段が設けられており、呼び出しローラ２４は、給紙トレイ２３が給紙位置まで上昇したときに、給紙トレイ２３上の最上位の用紙Ｐに所定の圧接力で圧接される。呼び出しローラ２４には図示しない給紙モータが接続されており、この給紙モータの作動により呼び出しローラ２４は所定のタイミングで図１において時計回り方向に回転駆動される。
【００３３】
呼び出しローラ２４の左方には、分離ローラ２５ａと分離部材２５ｂとを有する分離給送手段２５が配設されている。周面に高摩擦抵抗部材を有する分離ローラ２５ａは上述した図示しないブラケットに回転自在に支持されており、この図示しないブラケットは分離ローラ２５ａの支軸２５ｃを中心として揺動自在に支持されている。分離ローラ２５ａはベルトあるいはチェーン等の駆動力伝達部材を介して呼び出しローラ２４に接続されており、上述した図示しない給紙モータの作動により呼び出しローラ２４と同期して同方向に回転駆動される。
【００３４】
分離ローラ２５ａの下方には、高摩擦抵抗部材からなる分離部材２５ｂが配設されている。分離部材２５ｂは装置本体の図示しない側板間に上下動自在に支持されており、図示しない付勢手段によって所定の圧接力で分離ローラ２５ａに圧接されている。
【００３５】
呼び出しローラ２４及び分離給送手段２５よりも用紙搬送方向下流側には、駆動ローラ２６ａと従動ローラ２６ｂとを有するレジストローラ対２６が配設されている。駆動ローラ２６ａは装置本体の図示しない側板間に回転自在に支持されており、図示しないステッピングモータによって、所定タイミングで停止状態から徐々に版胴５の周速度に合わせて加速して回転駆動される。図示しないステッピングモータは、後述する構成によって駆動ローラ２６ａと従動ローラ２６ｂとが離間した際にその作動を停止される。
【００３６】
従動ローラ２６ｂは、一端を支軸２７によって揺動自在に支持された支持アーム２８の他端に回転自在に支持されており、支持アーム２８の一端には、図２に示すように、一端に回転自在なカムフォロア２９ａを有する上下アーム２９の他端が固着されている。上下アーム２９には、一端を装置本体に固着された引張ばね３０の他端が取り付けられており、支持アーム２８は従動ローラ２６ｂの周面を駆動ローラ２６ａの周面に当接させる向きに付勢されている。
【００３７】
カムフォロア２９ａの図２において左方には、カムフォロア２９ａに接触して従動ローラ２６ｂを駆動ローラ２６ａに対して接離させる接離カム３１が配設されている。接離カム３１は、版胴５を構成する図示しない一対のフランジのうちの一方の外面に固定されており、版胴５と一体的に回転駆動される。接離カム３１は、カムフォロア２９ａに接触する凸部とカムフォロア２９ａから離間する凹部とを有しており、図２に示すように凸部とカムフォロア２９ａとの接触が解除された際に引張ばね３０の付勢力によって従動ローラ２６ｂと駆動ローラ２６ａとが接触し、図３に示すように凸部とカムフォロア２９ａとが接触した際に従動ローラ２６ｂと駆動ローラ２６ａとが離間する。接離カム３１の形状については後述する。
【００３８】
分離ローラ２５ａと従動ローラ２６ｂとの間の位置には用紙ガイド板３２が、また駆動ローラ２６ａよりも用紙搬送方向下流側には用紙ガイド板３３がそれぞれ配設されている。各用紙ガイド板３２，３３は、装置本体の図示しない側板間にそれぞれ固設されている。
【００３９】
図１において版胴５の左方には、版胴５の外周面に対して接離自在に設けられ、版胴５の外周面から使用済みのマスタを剥離する図示しない排版手段が配設されている。この図示しない排版手段には、使用済みのマスタを貯容する排版ボックスが含まれており、この排版ボックスは装置本体に対して着脱可能である。
【００４０】
図示しない排版手段の下方には、版胴５の外周面に対して近接離間自在であり、版胴５に近接してその表面から印刷済みの用紙Ｐを剥離する図示しない剥離爪と、この剥離爪によって剥離された印刷済みの用紙Ｐを搬送する図示しない用紙搬送部材と、用紙搬送部材によって搬送された印刷済みの用紙Ｐを積載する図示しない排紙トレイとが配設されている。
【００４１】
上述の構成に基づき、以下に孔版印刷装置１の動作を説明する。図示しない画像読取部に原稿がセットされ、オペレータにより図示しない製版スタートキーが押下されると、版胴５が回転すると共に図示しない排版手段が作動して排版動作が行われる。排版完了後、版胴５はクランパ８がほぼ右真横に位置する給版待機位置まで回転して停止し、図示しない開閉手段が作動してクランパ８が開放され、孔版印刷装置１は給版待機状態となる。
【００４２】
クランパ８が開放されると、プラテンローラ１６及びマスタ搬送ローラ対１９が作動し、マスタロール２１ａからマスタ２１が送り出される。送り出されたマスタ２１はサーマルヘッド１７によって製版され、製版後のマスタ２１はマスタガイド板２０に案内されて開放されたクランパ８とステージ部７との間に向けて搬送される。そして、ステッピングモータ２２のステップ数より、マスタ２１の先端がステージ部７とクランパ８との間の所定位置まで搬送されたと判断されると、図示しない開閉手段が作動してクランパ８が閉じられる。
【００４３】
クランパ８が閉じられると、版胴５がマスタ２１の搬送速度と同じ周速度で回転駆動され、版胴５へのマスタ２１の巻装動作が行われる。そして、ステッピングモータ２２のステップ数より、１版分のマスタ２１が搬送されたと判断されると、切断手段１８が作動してマスタ２１が切断されると共に、プラテンローラ１６及びマスタ搬送ローラ対１９の作動が停止される。切断されたマスタ２１は版胴５の回転によって製版部３より引き出され、版胴５へのマスタ２１の巻装動作が完了する。
【００４４】
巻装動作完了後、呼び出しローラ２４及び分離ローラ２５ａが回転駆動され、給紙トレイ２３上より１枚の用紙Ｐが給送される。呼び出しローラ２４により引き出された用紙Ｐは、分離ローラ２５ａと分離部材２５ｂとによって分離給送され、所定のタイミングで接離されるレジストローラ対２６に向けて送られる。用紙Ｐが送られたときに駆動ローラ２６ａと従動ローラ２６ｂとは当接を開始しており、用紙Ｐはレジストローラ対２６のニップ部で一時停止される。
【００４５】
巻装動作完了後、印刷部２では版胴５が低速で回転駆動される。そして、版胴５に巻装されたマスタ２１の製版画像先端部がプレスローラ６と対応する位置に到達するよりも若干早い所定のタイミングで駆動ローラ２６ａが回転駆動され、用紙Ｐが版胴５とプレスローラ６との間に向けて送出される。レジストローラ対２６による用紙Ｐの送出とほぼ同時にプレスローラ揺動手段が作動し、用紙Ｐはプレスローラ６によって版胴５の外周面に押圧されることで画像を転写される。駆動ローラ２６ａはカムフォロア２９ａが接離カム３１の凸部に接触するまで回転を継続し、カムフォロア２９ａが接離カム３１の凸部に接触すると駆動ローラ２６ａの回転が停止されると共に駆動ローラ２６ａから従動ローラ２６ｂが離間して図４に示す状態となる。
【００４６】
プレスローラ６により版胴５に押圧された用紙Ｐは、版胴５の回転によって搬送されつつ画像を転写され、その先端部から図示しない剥離爪によって版胴５の外周面上より剥離される。剥離された印刷済みの用紙Ｐは図示しない用紙搬送部材によって搬送され、図示しない排紙トレイ上に排出されて版付け動作が完了する。版付け動作後、オペレータにより印刷条件が入力された後に図示しない印刷スタートキーが押下されると、版胴５が高速で回転すると共に給紙部４より用紙Ｐが連続的に給送され、版付け時と同様に印刷動作が行われる。
【００４７】
上述した版付け時及び印刷時において、「発明が解決しようとする課題」の欄でも述べたように、プレスローラ６により版胴５に圧接された用紙Ｐの後端が給紙部４内に残っているため、分離給送手段２５での挟持による負荷、呼び出しローラ２４との接触による摩擦負荷、呼び出しローラ２４の回転負荷等によって版胴５上のマスタ２１が用紙搬送方向上流側に向かって伸ばされ、マスタ後半部にしわが発生してしまう。そこで本発明者は、レジストローラ対２６による用紙Ｐの給送距離（プレスローラ６が用紙Ｐを版胴５に押圧した後の距離）を変化させて印刷動作を行い、各印刷動作時における、版胴５上に巻装されたマスタ２１のしわの状況を観察した。以下にその結果を示す。
【００４８】
【表１】
2004148586.tif 000003
【００４９】
実験の結果、通常の孔版印刷装置と同様にレジストローラ対２６による用紙Ｐの給送距離を５０ｍｍとするとしわの発生が多く、給送距離を８０ｍｍとしてもしわの発生を抑えることはできなかった。しかし、給送距離を１００ｍｍ以上とするとしわの発生が抑えられ、図５に示すように用紙Ｐの後端が給紙部４を抜ける（分離給送手段２５を抜ける）位置までレジストローラ対２６による用紙Ｐの給送を継続すると、しわの発生を完全に防止することができた。
【００５０】
上記結果より、図２及び図３に示した接離カム３１の形状を、レジストローラ対２６による用紙Ｐの給送距離が１００ｍｍ以上、望ましくは用紙Ｐの後端が給紙部４を抜けるまでとなるようにその凸部及び凹部の形状を決定することにより、版胴５上でのマスタ２１へのしわの発生を抑えることができ、良好な印刷物を得ることができる。
【００５１】
図６は、第１の実施例の変形例を示している。この変形例は第１の実施例と比較すると、版胴５に代えて、複数の開孔３４ｂからなる開孔部を有する多孔性支持板３４ａを具備し、装置本体に対して着脱自在に構成された版胴３４を用いる点と、接離カム３１の形状が異なる点においてのみ相違しており、他の構成は同一である。
【００５２】
版胴３４は、その外周面上に設けられたステージ部７及びクランパ８がほぼ真上に位置する、図６に示す所定位置としてのホームポジションにおいてのみ、装置本体に対して着脱可能に構成されている。版胴３４がホームポジションを占めたときに従動ローラ２６ｂが駆動ローラ２６ａから離間するように接離カム３１の形状を設定することにより、版胴３４の着脱操作時において常にレジストローラ対２６を開放状態とすることができ、例え給紙部４より用紙Ｐが途中まで搬送された状態であっても版胴３４の着脱動作及び用紙Ｐの除去動作を容易に行うことができる。
【００５３】
図７は、本発明の第２の実施例を採用した孔版印刷装置を示している。この孔版印刷装置３５は、孔版印刷装置１と比較すると、呼び出しローラ２４に代えて呼び出しローラ３６を用いる点、分離給送手段２５に代えて分離給送手段３７を用いる点においてのみ相違しており、他の構成は同一である。
【００５４】
周面に高摩擦抵抗部材を有する呼び出しローラ３６は、装置本体の図示しない側板間に揺動自在に支持された図示しないラケットにその支軸３６ａを回転自在に支持されている。図示しないブラケットには図示しない付勢手段が設けられており、給紙トレイ２３が給紙位置まで上昇したときに呼び出しローラ３６が給紙トレイ２３上の最上位の用紙Ｐに所定の圧接力で圧接される。呼び出しローラ３６には図示しない給紙モータが接続されており、この給紙モータの作動により呼び出しローラ３６は所定のタイミングで図７において時計回り方向に回転駆動される。
【００５５】
支軸３６ａには移動板３８の一端が回転自在に取り付けられており、移動板３８の他端は装置本体に取り付けられたソレノイド３９のプランジャ３９ａに回転自在に取り付けられている。この構成より呼び出しローラ３６は、ソレノイド３９の非作動時には図示しない付勢手段の付勢力によって給紙トレイ２３上の最上位の用紙Ｐに所定の圧接力で圧接されて図の実線位置を占め、ソレノイド３９の作動時には図示しない付勢手段の付勢力に抗して上方へと移動されて用紙Ｐから離間された図の破線位置を占める。ソレノイド３９の作動は図示しない制御手段によって制御される。
【００５６】
呼び出しローラ３６の左方に配設された分離給送手段３７は、分離ローラ３７ａと分離部材３７ｂとを有している。周面に高摩擦抵抗部材を有する分離ローラ３７ａは上述した図示しないブラケットに回転自在に支持されており、この図示しないブラケットは分離ローラ３７ａの支軸３７ｃを中心として揺動自在に支持されている。分離ローラ３７ａはベルトあるいはチェーン等の駆動力伝達部材を介して呼び出しローラ３６に接続されており、上述した図示しない給紙モータの作動により呼び出しローラ３６と同期して同方向に回転駆動される。
【００５７】
高摩擦抵抗部材からなる分離部材３７ｂは装置本体の図示しない側板間に上下動自在に支持されており、図示しない付勢手段によって所定の圧接力で分離ローラ３７ａに圧接されている。分離部材３７ｂには移動ブラケット４０が取り付けられており、この移動ブラケット４０には装置本体に取り付けられたソレノイド４１のプランジャ４１ａが回転自在に取り付けられている。この構成より分離部材３７ｂは、ソレノイド４１の非作動時には図示しない付勢手段の付勢力によって分離ローラ３７ａの周面に所定の圧接力で圧接された図の実線位置を占め、ソレノイド４１の作動時には図示しない付勢手段の付勢力に抗して下方へと移動されて分離ローラ３７ａから離間された図の破線位置を占める。ソレノイド４１の作動は図示しない制御手段によって制御される。
【００５８】
上述の構成より、呼び出しローラ３６及び分離ローラ３７ａによって給紙トレイ２３上より用紙Ｐが分離給送され、用紙Ｐの先端がレジストローラ対２６のニップ部に接触した後、レジストローラ対２６の作動と同時に各ソレノイド３９，４１を作動させて呼び出しローラ３６及び分離ローラ３７ａを移動させることにより、用紙Ｐへの負荷をなくすことができるので版胴５上のマスタ２１には用紙搬送方向上流側への力が作用せず、版胴５上でのマスタ２１へのしわの発生を防止することができ、良好な印刷物を得ることができる。
【００５９】
用紙Ｐの後端が呼び出しローラ３６と給紙トレイ２３上の用紙Ｐとの接触部を通過するとソレノイド３９の作動が解除され、呼び出しローラ３６は再び給紙トレイ２３上の用紙Ｐに接触される。また、用紙Ｐの後端が分離ローラ３７ａと分離部材３７ｂとの接触部を通過するとソレノイド４１の作動が解除され、分離部材３７ｂは再び分離ローラ３７ａの周面に接触される。この作動を繰り返すことにより、良好な印刷が継続して行われる。
【００６０】
【発明の効果】
本発明によれば、プレスローラによる用紙の版胴への押圧距離が１００ｍｍ以上となる位置までレジストローラ対による用紙の給送を継続することにより給紙部における用紙への負荷を大幅に軽減することができ、版胴上に巻装されたマスタが用紙との摩擦によって用紙搬送方向上流側へと伸ばされることにより引き起こされるしわの発生を抑制することができ、良好な印刷物を得ることができる。
【００６１】
また、レジストローラ対による用紙の給送を、用紙の後端が給紙部を抜ける位置まで継続することにより、給紙部における用紙への負荷をなくすことができ、版胴上に巻装されたマスタへのしわの発生を完全に防止することができ、さらに良好な印刷物を得ることができる。
【図面の簡単な説明】
【図１】本発明の第１の実施例を採用した孔版印刷装置の概略正面図である。
【図２】本発明の第１の実施例に用いられるレジストローラ対の接触状態を示す概略図である。
【図３】本発明の第１の実施例に用いられるレジストローラ対の離間状態を示す概略図である。
【図４】本発明の第１の実施例におけるプレスローラによる用紙の押圧距離とレジストローラ対の動作とを説明する概略図である。
【図５】本発明の第１の実施例におけるプレスローラによる用紙の押圧距離とレジストローラ対の動作とを説明する概略図である。
【図６】本発明の第１の実施例の変形例に用いられる版胴を説明する概略図である。
【図７】本発明の第２の実施例を採用した孔版印刷装置の概略正面図である。
【符号の説明】
１，３５  孔版印刷装置
４  給紙部
５，３４  版胴
６  プレスローラ
２３  給紙トレイ
２５，３７  分離給送手段
２６  レジストローラ対
２８  画像読取手段（読取ユニット）
３６  呼び出しローラ
３７ａ  分離ローラ
３７ｂ  分離部材
Ｐ  用紙
【図１】
2004148586.tif 000004
【図２】
2004148586.tif 000005
【図３】
2004148586.tif 000006
【図４】
2004148586.tif 000007
【図５】
2004148586.tif 000008
【図６】
2004148586.tif 000009
【図７】
2004148586.tif 000010